(57)【要約】【課題】階段フレームの取付け作業が容易であるとともに、ボルトなどの締結部分が踊り場１０の下方に露出せず、見栄えもよい階段を提供する。【解決手段】建物の下階１と上階２との間に設置された階段において、複数の踏板が取り付けられた階段フレームと、その上側又は下側から延長された水平フレーム３ａ、４ａで構成される踊り場１０とを備え、上記水平フレーム３ａ、４ａの先端部上面には切欠き部１１を形成し、上記建物の躯体から室内側に突設された受金具１７を、上記切欠き部１１を通じて上記水平フレーム３ａ、４ａの断面内に案内し、上記受金具１７と水平フレーム３ａ、４ａとを連結材１５によって連結した。【選択図】図７
2008138413.tif 000002
【特許請求の範囲】
【請求項１】
建物の下階と上階との間に設置された階段において、複数の踏板が取り付けられた階段フレームと、その上側又は下側から延長された水平フレームで構成される踊り場とを備え、
上記水平フレームの先端部上面には切欠き部を形成し、上記建物の躯体から室内側に突設された受金具を、上記切欠き部を通じて上記水平フレームの断面内に案内し、上記受金具と水平フレームとを連結材によって連結した
ことを特徴とする階段。
【請求項２】
上記連結材を上記受金具の上に重合し、該連結材を上記水平フレームと上記受金具に締結したことを特徴とする、請求項１に記載の階段。
【請求項３】
上記連結材は予め上記水平フレームの断面内で、上記切欠き部から露出する位置に設けられたことを特徴とする、請求項１又は２に記載の階段。
【請求項４】
上記連結材は予め上記水平フレームの断面内で、上記切欠き部から露出する位置にスライド可能に設けられたことを特徴とする、請求項１又は２に記載の階段。
【発明の詳細な説明】
【技術分野】
【０００１】
本発明は建物の下階と上階との間に設置された階段に関する。
【背景技術】
【０００２】
一般に、建物内部の一階と二階との間に踊り場を有する階段を設置する場合、複数の踏板が取り付けられた上側と下側の階段フレームと、踊り場とはそれぞれ別体である（特許文献１参照）から、踊り場を固定し、さらに踊り場に下側階段の上端と上側階段の下端を固定し、踊り場を適宜手段によって固定することが行なわれている。
【０００３】
ところが、踊り場をどのように固定するかについては、踊り場を下階に設けた支柱の上に支持させる方式や、踊り場を支柱ではなく、下階に固定した左右両側板の上に支持させる方式などが知られている。ところが、踊り場が普通の子供の背丈を越えるような高さになった場合、支柱は踊り場の下方空間を制限し、物を置くときの障害になったり、人の動線の邪魔になったりするという問題がある。
【０００４】
そこで、踊り場を建物躯体と上下部の階段フレームとによって支持することが考えられる。上下部の階段フレームの各下端部と上端部とから水平のフレームを延設し、このフレームを直接に建物の躯体に固定すれば、水平フレーム上に踊り場を構成することができる。水平フレームを建物の躯体に固定する場合、躯体側には水平フレームを受ける受け部材が必要となる。すなわち、躯体側から突設された受け部材に水平フレームを構成を採用すればよい。具体的には、締結時には受け部材が外部に露出しないように、水平フレームの中空部の内部に建物の躯体から室内側に突設された受金具を挿入し、水平フレームと受け部材とをボルトで締結すればよい。これにより、踊り場を躯体と階段フレームとによって支持することができるので、踊り場の下方の空間を広くとることができる。
【特許文献１】実用新案登録第３１１５６０４号公報
【特許文献２】特開２００５−２４０３２１号公報
【発明の開示】
【発明が解決しようとする課題】
【０００５】
しかしながら、上述の階段構造によれば、施工にあたっては、階段フレームをクレーン等により水平フレームの先端を躯体の受け部材の位置まで吊り上げ、さらに水平方向に移動させて水平フレームの先端を受け部材に挿入するという作業を要することになる。このような作業は非常に困難であり、現実的ではない。
挿上には床材等を張るので問題はないが、踊り場の下には階段フレームとその水平部分だけでなく、水平住むの端部と受け金具のボルト部分も露出する。特にボルトの締結部分は屋内から直接に見えるので見栄えがよくない。
【０００６】
本発明は上記問題点を解消し、階段フレームの取付け作業が容易であるとともに、ボルトなどの締結部分が踊り場の下方に露出せず、見栄えもよい階段を提供することをその課題とする。
【課題を解決するための手段】
【０００７】
前記課題を解決するため、請求項１に係る発明は、建物の下階と上階との間に設置された階段において、複数の踏板が取り付けられた階段フレームと、その上側又は下側から延長された水平フレームで構成される踊り場とを備え、上記水平フレームの先端部上面には切欠き部を形成し、上記建物の躯体から室内側に突設された受金具を、上記切欠き部を通じて上記水平フレームの断面内に案内し、上記受金具と水平フレームとを連結材によって連結したことを特徴とする。
【０００８】
請求項２に係る発明は、請求項１において、上記連結材を上記受金具の上に重合し、該連結材を上記水平フレームと上記受金具に締結したことを特徴とする。
【０００９】
請求項３に係る発明は、請求項１又はにおいて、上記連結材は予め上記水平フレームの断面内で、上記切欠き部から露出する位置に設けられたことを特徴とする。
【００１０】
請求項４に係る発明は、請求項１又は２において、上記連結材は予め上記水平フレームの断面内で、上記切欠き部から露出する位置にスライド可能に設けられたことを特徴とする。
【発明の効果】
【００１１】
請求項１に係る発明によれば、階段フレームを吊り上げ、水平フレームの先端を躯体に設けた受金具の下に移動させ、さらに上に移動させることにより、水平フレームの先端上部の切欠き部を通じて上記水平フレームの断面内に案内することができるので、水平フレームの取付作業を容易かつ確実に行なうことができる。また、受金具と水平フレームとを連結材によって連結したので、連結材が水平フレームを補強する機能を有することになり、受金具と水平フレームとを強固に連結することができる。
【００１２】
また、受け金具は水平フレームの断面内に案内され、連結部材はその上部に重合しているので、連結部分も切欠きも踊り場の下から見ることはできない。したがって見栄えがよく、また下側に切欠き部を隠すための化粧材を設ける必要もない。
【００１３】
請求項２に係る発明によれば、上記連結材を上記受金具の上に重合し、該連結材を上記水平フレームと上記受金具に締結する構成であるから、水平フレームの上面の切欠き部を利用してその上から締結作業をすることができ、水平フレームの取付作業を容易に行なうことができる。
【００１４】
請求項３に係る発明によれば、連結材は予め上記水平フレームの断面内で、上記切欠き部から露出する位置に設けられているので、上記受金具の上に連結材を重合した後、水平フレームの上面の切欠き部を利用してすぐに連結作業をすることができる。
【００１５】
請求項４に係る発明によれば、連結材は予め上記水平フレームの断面内で、上記切欠き部から露出する位置にスライド可能に設けられているから、階段フレームを移動操作する場合には連結材を切欠き部から退避させておくことにより、上記切欠き部をフルに利用して受金具を水平フレームの断面内に案内することができる。案内後は、連結材をスライドして上記切欠き部から露出させ、切欠き部を利用してすぐに連結作業をすることができる。
【発明を実施するための最良の形態】
【００１６】
図１は本発明を建物の内部に設置された折り返し階段において実施した場合の形態を示す側面図であり、図２はその平面図である。この折り返し階段は、建物の下階１と上階２との間に金属製の下側の階段フレーム３と上側の階段フレーム４とを折り返しにして連続させて設置したもので、上下の階段フレーム４、３には間隔をおいて踏板受け５を介して踏板６が取り付けられている。なお、７は壁躯体を示す。
【００１７】
上記下側の階段フレーム３と上側の階段フレーム４とは踊り場１０を介して接続されている。踊り場１０は次に示すように構成されている。
【００１８】
まず、図３に示すように、下側の階段フレーム３の上端には水平フレーム３ａが一体に延長形成されている。そして、水平フレーム３ａの先端上面には切欠き部１１が形成されている。
【００１９】
また、図４に示すように、水平フレーム３ａは中空で、上部両側にはそれぞれ断面逆Ｌ字形の縁１２が形成され、また上面部には少し片寄り位置に凹溝１３が長手方向に沿って形成されている。凹溝１３の先端側の溝底には受け板１４が配置されている。
【００２０】
さらに、水平フレーム３ａの先端部には連結材１５が配置されている。連結材１５は図５に示すように逆Ｌ字形の板材１５ａの上に厚板１５ｂを溶接固定してなる部材で、図４のように上記受け板１４から上記凹溝１３を貫通した固定ネジ（図７（ｂ）参照）によって受け板１４ととともに水平フレーム３ａに締結固定されている。連結材１５の先端にはボルト挿通孔１６が形成されている。
【００２１】
これに対し、壁躯体には踊り場１０に対応する位置に受金具１７（図６参照）が突設されている。これらの受金具１７は下向きに開口する断面コ字形の部材で、壁躯体７を構成する構造材（図示せず）などに一体に固定されている。
【００２２】
上記階段フレーム３の水平フレーム３ａを壁躯体の受金具１７に固定するときは、まず図６に示すように、階段フレーム３をロープ２０で吊り、水平フレーム３ａの先端を受金具１７に接近させ、図７（ａ）（ｂ）のように、水平フレーム３ａを受金具１７の下の方から上側にすくうように移動させて切欠き部１１から水平フレーム３ａの断面内に案内する。そして、受金具１７の上に上記連結材１５を係合させてボルト２１を連結材１５のボルト挿通孔１６から受金具１７のボルト孔１８に螺着して締結固定すればよい。これにより、連結材１５を介して受金具１７と水平フレーム３ａとが連結される。
【００２３】
次に、上側の階段フレーム４の下部にも図３に示すように上記踊り場１０を構成するための水平フレーム４ａが延長して設けられている。この水平フレーム４ａの断面形状も、図４に示す上記下側階段フレーム３の水平フレーム３ａと同じで、水平フレーム４ａの先端上面には切欠き部１１が形成されている。また、水平フレーム４ａの上部両側にはそれぞれ断面逆Ｌ字形の縁１２が形成され、また上面部には少し片寄り位置に凹溝１３が長手方向に沿って形成されている。なお、凹溝１３の先端側の溝底１３ａにはスライド孔２２（図９参照）が形成されているとともに、受け板１４が配置されている。
【００２４】
水平フレーム４ａの先端部には、図８（ａ）、図９及び図１０（ａ）に示されるように、上述のものと同じ構成の連結材１５が上記スライド孔２２の範囲内で水平フレーム４ａの長手方向に沿ってスライド自在に取り付けられている。また、図９に示されるように、この連結材１５は上記受け板１４から上記スライド孔２２を貫通したネジ２３によって受け板１４の先端から後退する位置で受け板１４に仮止め固定されている。この状態で、受け板１４には固定ネジ挿通孔２５が、連結材１５にはネジ孔２６が互いに整合するように配置されている。凹溝１３の溝底１３ａにも、上記受け板１４と連結材１５とが所定量スライドしたときのネジ挿通孔２５とネジ孔２６に整合する位置にネジ挿通孔２７が形成されている。なお、このとき受け板１４の先端は連結材１５の先端よりも後退した位置に保持されている。また、連結材１５の先端近傍にはスライド操作用のネジ２８が取り付けられている。
【００２５】
これに対し、壁躯体の踊り場１０に対応する位置には、上述と同様の受金具１７が突設されている。
【００２６】
上記上側の階段フレーム４の水平フレーム３ａ４ａを壁躯体の受金具１７に固定するときは、まず水平フレーム４ａの受け板１４に連結材１５を仮止めするネジ２３を緩めておき、図９（ａ）（ｂ）のように階段フレーム４をロープ２０で吊り、水平フレーム４ａの先端を受金具１７に接近させ、図１０（ａ）（ｂ）に示されるように、水平フレーム４ａを受金具１７の下の方から上側に移動させて切欠き部１１から水平フレーム４ａの断面内に案内する。そこで、上記連結材１５の操作用ネジ２８（図８（ｂ）参照）に指を掛けて引き出し、図８（ｂ）及び図１０（ｃ）に示すように、切欠き部１１から露出する所定位置までスライドさせて上記受金具１７の上に重合させる。このとき、受け板１４も同時に同じ量だけスライド移動する。そして、上記操作用ネジ２８を外し、図１２（ａ）（ｂ）に示されるように、切欠き部１１の上から連結材１５と受金具１７とをボルト２１で締結するとともに、水平フレーム４ａの受け板１４と凹溝１３の溝底に形成されたのネジ挿通孔２５、２７（図９参照）から挿通した固定ネジ３０を連結材１５のネジ孔２６に締結して固定すればよい。これにより、連結材１５を介して受金具１７と水平フレーム４ａとが連結される。
【００２７】
なお、上記下側の階段フレーム３と上側の階段フレーム４の水平フレーム３ａ、４ａにより踊り場１０用のフレームが形成されるから、その上に床パネルを張り、さらにその上からフローリング施工等を行なえばよい。さらに、階段フレームに続く手摺用支柱を立設し、その上に手摺を支持させ、さらに手摺の下方にはパネルを配設すればよい。
【００２８】
上記構成によれば、階段フレーム３、４を吊り上げ、水平フレーム３ａ、４ａの先端を躯体に設けた受金具１７の下に移動させ、さらに上に移動させることにより、水平フレーム３ａ、４ａの先端上部の切欠き部１１を通じて上記水平フレーム３ａ、４ａの断面内に案内することができるので、水平フレーム３ａ、４ａの取付作業を容易かつ確実に行なうことができる。また、受金具１７と水平フレーム３ａ、４ａとを連結材１５によって連結したので、連結材１５が水平フレーム３ａ、４ａを補強する機能を有することになり、受金具１７と水平フレーム３ａ、４ａとを強固に連結することができる。
【００２９】
また、受金具１７は水平フレーム３ａ、４ａの断面内に案内され、連結材１５はその上部に重合しているので、連結部分は踊り場１０の下から見ることはできない。したがって見栄えがよい。
【００３０】
さらに、上記連結材１５を上記受金具１７の上に重合し、該連結材１５を上記水平フレーム３ａ、４ａと上記受金具１７に締結する構成であるから、水平フレーム３ａ、４ａの上面の切欠き部１１を利用してその上から締結作業をすることができる。このため、水平フレーム３ａ、４ａの取付作業を容易に行なうことができる。
【００３１】
加えて、下側の階段フレーム３の水平フレーム３ａを取り付けるにあたり、連結材１５は予め上記水平フレーム３ａの断面内で、上記切欠き部１１から露出する位置に設けられているので、上記受金具１７の上に連結材１５を重合した後、水平フレーム３ａの上面の切欠き部１１を利用してすぐに連結作業をすることができる。
【００３２】
また、上側の階段フレーム４の水平フレーム４ａを取り付けるにあたり、連結材１５は予め上記水平フレーム４ａの断面内で、上記切欠き部１１から露出する位置にスライド可能に設けられているから、階段フレームを移動操作する場合には連結材１５を切欠き部１１から退避させておくことにより、上記切欠き部１１をフルに利用して受金具１７を水平フレーム４ａの断面内に案内することができる。案内後は、連結材１５をスライドして上記切欠き部１１から露出させ、切欠き部１１を利用してすぐに連結作業をすることができる。
【００３３】
なお、上述の実施形態では、躯体の受金具１７に下側階段フレーム３の水平フレーム３ａと上側階段フレーム４の水平フレーム４ａを連結するにあたり、連結材１５を一方の水平フレーム３ａに対しては予め固定しておき、他方の水平フレーム４ａにはスライド可能にした場合の取付態様につき示したが、これに限定されない。連結材を両方の水平フレームに対して予め固定しておいてもよく、あるいは両方の水平フレームに対して予めスライド可能としておいてもよい。
【００３４】
また、受金具は躯体を構成するものであれば壁躯体に設ける形態に限定されない。柱に設ける構成であってもよい。
【図面の簡単な説明】
【００３５】
【図１】本発明に係る延長床付き階段の側面図
【図２】上記階段の平面図
【図３】階段フレームの斜視図
【図４】水平フレームの断面図
【図５】連結材の斜視図
【図６】下側階段の取付態様説明図
【図７】（ａ）（ｂ）は下側階段の水平フレームの取付態様説明図
【図８】（ａ）（ｂ）は上側階段の水平フレームと連結材の取付態様説明図
【図９】（ａ）（ｂ）は上記上側の水平フレームの縦断面図
【図１０】（ａ）（ｂ）（ｃ）は上記水平フレームの取付態様説明図
【図１１】（ａ）（ｂ）は上側階段フレームの取付態様説明図
【図１２】（ａ）（ｂ）は上側階段の水平フレームの取付状態の側面図と断面図
【符号の説明】
【００３６】
１  下階
２  上階
３  下側の階段フレーム
４  上側の階段フレーム
３ａ  下側の水平フレーム
４ａ  上側の水平フレーム
１０  踊り場
１１  切欠き部
１５  連結材
１７  受金具
【図１】
2008138413.tif 000003
【図２】
2008138413.tif 000004
【図３】
2008138413.tif 000005
【図４】
2008138413.tif 000006
【図５】
2008138413.tif 000007
【図６】
2008138413.tif 000008
【図７】
2008138413.tif 000009
【図８】
2008138413.tif 000010
【図９】
2008138413.tif 000011
【図１０】
2008138413.tif 000012
【図１１】
2008138413.tif 000013
【図１２】
2008138413.tif 000014